(57)【要約】【課題】子無線機の数が膨大な数になっても、従来親無線機が制御していた処理を、複数の副無線機へ分割させるので、親無線機の通信処理の負担を軽減し、また子無線機１台に対して複数の副親無線機へ無線チャンネルを変更して通信可能とすることで、通信信頼性を向上させる。【解決手段】接点機器又はメータを接続した子無線機１３と親無線機１２の間に副親無線機１５を設け、親無線機１２はセンタ装置１１及び副親無線機１５と通信し、子無線機１３は副親無線機１５と通信する無線システムにおいて、親無線機１２は、副親無線機１５を管理し、副親無線機１５とのデータ送受信により、副親機無線機１５に子機無線機１３のメータ検針などの通信を一括で行わせ、副親無線機１５は、子無線機１３を通信が可能な範囲で分割して管理し、子無線機１３からのデータを整理し、親無線機１２へデータ送信する。【選択図】図１
2008061079.tif 000002
【特許請求の範囲】
【請求項１】
接点機器又はメータを接続した子無線機と親無線機の間に複数の副親無線機を設け、前記親無線機はセンタ装置及び前記副親無線機と通信し、前記子無線機は前記副親無線機と通信する無線システムにおいて、
前記親無線機は、前記副親無線機を管理し、前記副親無線機とのデータ送受信により、該副親機無線機に前記子機無線機のメータ検針などの通信を一括で行わせる手段を備えており、
前記複数の副親無線機は、それぞれ、全子無線機を通信が可能な範囲で分割して管理する手段と、管理している子無線機からのデータを整理し、前記親無線機へデータ送信する手段とを備えることを特徴とする無線システム。
【請求項２】
接点機器又はメータを接続した子無線機と親無線機の間に複数の副親無線機を設け、前記親無線機はセンタ装置及び前記副親無線機と通信し、前記子無線機は前記副親無線機と通信する無線システムにおいて、
前記親無線機は、前記副親無線機を管理し、前記副親無線機とのデータ送受信により、該副親機無線機に前記子機無線機のメータ検針などの通信を一括で行わせる手段を備えており、
前記複数の副親無線機は、それぞれ、重複して前記子無線機を管理しており、一の副親無線機は、管理している子無線機からのデータ及び子無線機との通信ができたか否かの情報を整理して親無線機にデータ送信し、通信ができた子無線機を管理する手段を備えており、他の副親無線機は、親無線機から子無線機の管理変更の命令を受けて、前記一の副親無線機が通信できなかった子無線機と通信を行う手段を備えたことを特徴とする無線システム。
【請求項３】
接点機器又はメータを接続した子無線機と親無線機の間に複数の副親無線機を設け、前記親無線機はセンタ装置及び前記副親無線機と通信し、前記子無線機は前記副親無線機と通信する無線システムにおいて、
前記子無線機は、前記接点機器又はメータからの起動で発信するときに前記副親無線機へのデータ送信が失敗すると、別の副親無線機へデータ送信する手段と、センタ装置からの発信でノイズ環境などにより失敗していた副親無線機からのデータ送信が受信できるようになると、予め設定している優先順位の高い副親無線機へ、発信を行うようにする手段とを備えたことを特徴とする無線システム。
【請求項４】
センタ装置と通信する親無線機は、複数の副親無線機を管理しており、通信の成功不成功により、データ送受信で副親無線機が管理する子無線機を変更させる手段と、子無線機が使用している無線チャンネルと異なるチャンネルで副親無線機と通信する手段とを備えた請求項１、２、３のいずれか１項に記載の無線システム。
【請求項５】
副親無線機は、複数の子無線機を管理しており、子無線機との通信情報を親無線機へ送信する手段と、親無線機と子無線機とで無線チャンネルを変えて通信する手段とを備えた請求項１、２、３のいずれか１項に記載の無線システム。
【請求項６】
子無線機は、複数の副親無線機と通信を行う手段と、副親無線機ごとに無線チャンネルを変えて通信をする手段とを備えた請求項２又は３に記載の無線システム。
【発明の詳細な説明】
【技術分野】
【０００１】
本発明は、無線システムに関し、特に親無線機と子無線機の間に複数の副親無線機を設け、親無線機はセンタ装置や副親無線機と通信し、接点機器やメータを接続した子無線機が副親無線機と通信する無線システムに関する。
【背景技術】
【０００２】
親無線機と子無線機との通信において、互いの距離が長く、建物による無線の反射やノイズの影響などにより、正確な通信ができない場合、中継機を間に入れて対応していた（特許文献１参照）。
【特許文献１】特開２００６−４８４５９号公報
【発明の開示】
【発明が解決しようとする課題】
【０００３】
中継機の場合、親無線機からの情報をそのまま子無線機に送受信するだけで、逆に親無線機は、センタ装置との対応、中継機との対応、子無線機との対応など、それぞれ複雑な処理が必要になっている。
【０００４】
本発明は、親無線機と子無線機の間に副親無線機を設け、親無線機はセンタ装置や複数の副親無線機と通信し、接点機器やメータを接続した子無線機が副親無線機と通信する無線システムとし、子無線機の数が膨大な数になっても、従来親無線機が制御していた処理を、複数の副無線機へ分割させるので、親無線機の通信処理の負担を軽減し、また子無線機１台に対して複数の副親無線機へ無線チャンネルを変更して通信可能とすることで、通信信頼性の向上を目的とする。
【課題を解決するための手段】
【０００５】
前記の課題を解決するために、本発明は、接点機器又はメータを接続した子無線機と親無線機の間に複数の副親無線機を設け、前記親無線機はセンタ装置及び前記副親無線機と通信し、前記子無線機は前記副親無線機と通信する無線システムにおいて、前記親無線機は、前記副親無線機を管理し、前記副親無線機とのデータ送受信により、該副親機無線機に前記子機無線機のメータ検針などの通信を一括で行わせる手段を備えており、前記複数の副親無線機は、それぞれ、全子無線機を通信が可能な範囲で分割して管理する手段と、管理している子無線機からのデータを整理し、前記親無線機へデータ送信する手段とを備える無線システムである。
【０００６】
また、本発明は、接点機器又はメータを接続した子無線機と親無線機の間に複数の副親無線機を設け、前記親無線機はセンタ装置及び前記副親無線機と通信し、前記子無線機は前記副親無線機と通信する無線システムにおいて、前記親無線機は、前記副親無線機を管理し、前記副親無線機とのデータ送受信により、該副親機無線機に前記子機無線機のメータ検針などの通信を一括で行わせる手段を備えており、前記複数の副親無線機は、それぞれ、重複して前記子無線機を管理しており、一の副親無線機は、管理している子無線機からのデータ及び子無線機との通信ができたか否かの情報を整理して親無線機にデータ送信し、通信ができた子無線機を管理する手段を備えており、他の副親無線機は、親無線機から子無線機の管理変更の命令を受けて、前記一の副親無線機が通信できなかった子無線機と通信を行う手段を備えた無線システムである。
【０００７】
そして、本発明は、接点機器又はメータを接続した子無線機と親無線機の間に複数の副親無線機を設け、前記親無線機はセンタ装置及び前記副親無線機と通信し、前記子無線機は前記副親無線機と通信する無線システムにおいて、前記子無線機は、前記接点機器又はメータからの起動で発信するときに前記副親無線機へのデータ送信が失敗すると、別の副親無線機へデータ送信する手段と、センタ装置からの発信でノイズ環境などにより失敗していた副親無線機からのデータ送信が受信できるようになると、予め設定している優先順位の高い副親無線機へ、発信を行うようにする手段とを備えた無線システムである。
【０００８】
更に、本発明は、センタ装置と通信する親無線機は、複数の副親無線機を管理しており、通信の成功不成功により、データ送受信で副親無線機が管理する子無線機を変更させる手段と、子無線機が使用している無線チャンネルと異なるチャンネルで副親無線機と通信する手段とを備えた無線システムである。
【０００９】
また、本発明は、副親無線機は、複数の子無線機を管理しており、子無線機との通信情報を親無線機へ送信する手段と、親無線機と子無線機とで無線チャンネルを変えて通信する手段とを備えた無線システムである。
【００１０】
そして、本発明は、子無線機は、複数の副親無線機と通信を行う手段と、副親無線機ごとに無線チャンネルを変えて通信をする手段とを備えた無線システムである。
【発明の効果】
【００１１】
従来の無線システムは中継機を使用しており、親無線機からの情報をそのまま子無線機に送受信するだけで、逆に親無線機は、センタ装置との対応、中継機との対応、子無線機との対応など、それぞれ複雑な処理が必要になっていたが、本発明は、親無線機と子無線機の間に副親無線機を設け、親無線機はセンタ装置や複数の副親無線機と通信し、接点機器やメータを接続した子無線機が副親無線機と通信する無線システムとし、子無線機の数が膨大な数になっても、従来親無線機が制御していた処理を、複数の副無線機へ分割させるので、親無線機の通信処理の負担を軽減し、また子無線機１台に対して複数の副親無線機へ無線チャンネルを変更して通信可能とすることで、通信信頼性の向上を行うことができる。
【発明を実施するための最良の形態】
【００１２】
本発明を実施するための最良の形態を説明する。
まず、従来の無線システムを説明する。図１は従来の無線システムであり、１１はセンタ装置、１２は親無線機、１３は子無線機、１４は中継機にて構成されていた。図２は、図１の構成による無線システムにおいて、子無線機１３が２台の場合の動作フローチャートである。親無線機１２から中継機１４へ無線送信される（ステップＳ１１）。中継機１４は、親無線機１２からの指示で、子無線機１へデータをそのまま送信するかを判定し、正しければ子無線機１に送信する（ステップＳ１２）。子無線機１は、中継機１４から受信したデータに従い、メータ検針し、中継機１４へ応答を返す（ステップＳ１３）。データによっては、メータ検針を行わずに、子無線機の設定データを返すなどの処理を行う場合もある。子無線機２も同様の処理を行い、中継機１４へ応答を返す（ステップＳ１４）。中継機１４は、子無線機１、２から受信したデータをそのまま、親無線機１２へ無線送信する（ステップＳ１５）。親無線機１２は、中継機１４から無線受信し、センタ装置１１へ送信する（ステップＳ１６）。
【００１３】
従来の無線システムは、子無線機１３の数が多くなるほど、親無線機１２と子無線機１３との通信往復の回数が多くなり、中継機１４を使用すると、通信時間がさらに長くなってしまう。なお、親無線機１２とセンタ装置１１との通信は、無線による通信だけでなく、有線の電話回線による通信であってもよい。
【００１４】
＜第１の実施の形態＞
本発明の第１の実施の形態を説明する。図３は、本実施の形態の無線システムの構成図である。副親無線機Ａ１５ａ、副親無線機Ｂ１５ｂを備えており、それぞれ、無線通信が可能な範囲のグループＡの子無線機１〜４、又はグループＢの子無線機５〜８を管理している。
【００１５】
図４は、第１の実施の形態の無線システムの動作フローチャートである。親無線機１２から各副親無線機１５へ無線送信される（ステップＳ２１）。各副親無線機１５ａ、１５ｂは、管理している子無線機１３に対して一括にメータ検針するとき（一括検針終了ではない）は（ステップＳ２２）、担当子無線機１３へ検針を要求する電文を無線送信する（ステップＳ２３）。各子無線機１３はメータ検針を行う（ステップＳ２４）。子無線機１３は、検針データを取得すると、あらかじめ登録している１台の副親無線機１５に無線送信をし（ステップＳ２５）、ステップＳ２２に戻る。各副親無線機１５は、一括検針が終了すると（ステップＳ２２）、各子無線機１３から受信したデータを整理する（ステップＳ２６）。データ整理とは、例えば各子無線機１３のＩＤ番号またはＩＤ番号から共通番号を除いた番号ごとに検針できていれば検針値、無応答ならば無応答を確認した時刻値を付加する。副親無線機１５は整理したデータを親無線機１２へ無線送信する（ステップＳ２７）。親無線機１２は、全副親無線機１５ａ、１５ｂから無線受信するまで待機し（ステップＳ２８）、全副親無線機１５ａ、１５ｂからデータを受信すると、センタ装置１１へ送信する（ステップＳ２９）。センタ装置１１からの命令によっては、特定の副親無線機１５からの無線受信のみで、センタ装置１１へ送信することも可能である。
【００１６】
＜第２の実施の形態＞
本発明の第２の実施の形態を説明する。図５は、本実施の形態の無線システムの構成図である。図６は、第２の実施の形態の無線システムの動作フローチャートである。親無線機１２から各副親無線機１５へ無線送信される（ステップＳ３１）、副親無線機Ａ１５ａは、管理している子無線機１〜８に対して一括にメータ検針するとき（一括検針終了ではない）は（ステップＳ３２）、子無線機１〜８へ検針を要求する電文を無線送信する（ステップＳ３３）、各子無線機１〜８はメータ検針を行う（ステップＳ３４）。検針データを取得すると子無線機１〜８はあらかじめ登録している１台の副親無線機Ａ１５ａに無線送信し（ステップＳ３５）ステップＳ３２に戻る。副親無線機１５ａは、一括検針が終了すると（ステップＳ３２）、各子無線機１〜８から受信したデータを整理する（ステップＳ３６）。副親無線機Ａ１５ａは整理したデータを親無線機１２へ無線送信する（ステップＳ３７）、親無線機１２は、全副親無線機１５から無線受信するまで待機しておく（ステップＳ３８）。親無線機１２は、全副親無線機１５からデータをもとに、無応答の子無線機１３があるかどうかを判定する（ステップＳ３９）。無応答の子親無線機１３がある場合、その子無線機１３を管理していた副親無線機Ａ１５ａではなく、無応答の子無線機１３を管理する別の副親無線機Ｂ１５ｂを選択し、無線送信をする（ステップＳ４０）。図７は、通信を切り換える様子を示した無線システムである。別の副親無線機Ｂ１５ｂは、無応答だった子無線機１３へ、無線チャンネルを変更、例えば３チャンネルから６チャンネルへ変更し、無線送信をする（ステップＳ４１）。親無線機１２は、すべての子無線機１３からのデータを取得できると、センタ装置１１へ送信する（ステップＳ４２）。
【００１７】
なお、接点機器やメータからの起動で子無線機１３から発信する場合において、副親無線機１５へのデータ送信が失敗すると、別の副親無線機１５へ無線チャンネルを変更して、データ送信をするようにすることができる。別の副親無線機１５への通信を切り換えるのは、１回データ送信を失敗したら切り換える場合や、数回繰り返しデータ送信を行い失敗する場合に切り換える場合など、いくつかの選択ができる。また、センタ装置１１からの発信でノイズ環境などにより失敗していた副親無線機１５からのデータ送信が受信できるようになると、予め設定している優先順位の高い副親無線機１５へ、子無線機１３からの発信を行うようにすることができる。
【図面の簡単な説明】
【００１８】
【図１】従来の無線システムの構成説明図。
【図２】従来の無線システムによる動作フローチャートの説明図。
【図３】第１の実施の形態の無線システムの構成説明図。
【図４】第１の実施の形態の無線システムの動作フローチャートの説明図。
【図５】第２の実施の形態の無線システムの構成説明図。
【図６】第２の実施の形態の無線システムの動作フローチャートの説明図。
【図７】第２の実施の形態における通信切替の無線システムの構成説明図。
【符号の説明】
【００１９】
１１  センタ装置
１２  親無線機
１３  子無線機
１４  中継機
１５  副親無線機
【図１】
2008061079.tif 000003
【図２】
2008061079.tif 000004
【図３】
2008061079.tif 000005
【図４】
2008061079.tif 000006
【図５】
2008061079.tif 000007
【図６】
2008061079.tif 000008
【図７】
2008061079.tif 000009